(57)【要約】【課題】大画面化及びベゼルの狭幅化を実現しながら光漏れ等の表示不良を改善でき、良好な映像を表示できる透過型表示装置を提供する。【解決手段】透過型表示装置１は、ＬＣＤパネル１１と、面光源装置１０と、ＬＣＤパネル１１よりも出射側に設けられ、ＬＣＤパネル１１の非観察画面領域となる周縁部を被覆する枠状のベゼル１８とを備える。面光源装置１０は、導光板１３と、導光板１３の少なくとも１つの側面に沿って配置された光源部１２と、導光板１３とＬＣＤパネル１１との間に少なくとも１枚設けられる第１プリズムシート１４等の光学シートとを備える。少なくとも１枚設けられる光学シートのうちのいずれか１つは、光源部１２側の端部に、光源部１２の延在する方向に沿って遮光機能を有する帯状の遮光部１５が設けられ、遮光部１５は、その画面中央側の端部が、ベゼル１８の画面中央側の端部よりも画面外側に位置するものとした。【選択図】図４
2012208307.tif 000002
【特許請求の範囲】
【請求項１】
透過型表示部と、前記透過型表示部を背面側から照明する面光源装置と、前記透過型表示部よりも出射側に設けられ、前記透過型表示部の非観察画面領域となる周縁部を被覆する枠状のベゼル部とを備える透過型表示装置であって、
前記面光源装置は、
導光板と、
前記導光板の少なくとも１つの側面に沿って配置された光源部と、
前記導光板と前記透過型表示部との間に少なくとも１枚設けられる光学シートと、
を備え、
少なくとも１枚設けられる前記光学シートのうちのいずれか１枚は、その光源部側の端部に、前記光源部の延在する方向に沿って遮光機能を有する帯状の遮光部が設けられ、
前記遮光部は、その画面中央側の端部が、前記ベゼル部の画面中央側の端部よりも画面外側に位置すること、
を特徴とする透過型表示装置。
【請求項２】
請求項１に記載の透過型表示装置において、
前記遮光部は、少なくとも１枚設けられる前記光学シートのうち、最も導光板側に配置される光学シートに設けられること、
を特徴とする透過型表示装置。
【請求項３】
請求項１又は請求項２に記載の透過型表示装置において、
前記遮光部の長手方向に平行かつ前記透過型表示部の観察画面に直交し、前記遮光部の前記導光板側の面であって画面中央側の端部となる点を通る平面と、前記遮光部の前記導光板側の面であって画面中央側の端部となる点及び前記ベゼル部の前記導光板側の面であって画面中央側の端部となる点を通る平面とがなす角度をθとするとき、
０．２≦ｔａｎθ≦０．９
を満たすこと、
を特徴とする透過型表示装置。
【請求項４】
請求項１から請求項３までのいずれか１項に記載の透過型表示装置において、
前記遮光部は、その幅方向において、一部が前記導光板よりも前記光源部側に突出するように設けられていること、
を特徴とする透過型表示装置。
【請求項５】
請求項１から請求項４までのいずれか１項に記載の透過型表示装置において、
前記遮光部は、光を反射する反射作用を有する遮光機能層を備えること、
を特徴とする透過型表示装置。
【請求項６】
請求項５に記載の透過型表示装置において、
前記遮光機能層は、白色であり、前記遮光部の厚み方向において前記導光板側に設けられ、その厚さが１０〜４０μｍの範囲内であること、
を特徴とする透過型表示装置。
【請求項７】
請求項５に記載の透過型表示装置において、
前記遮光機能層は、銀色であり、その厚さが１μｍ以下であること、
を特徴とする透過型表示装置。
【請求項８】
請求項１から請求項７までのいずれか１項に記載の透過型表示装置において、
前記遮光部は、光を吸収する光吸収作用を有する遮光機能層を備えること、
を特徴とする透過型表示装置。
【請求項９】
請求項８に記載の透過型表示装置において、
前記遮光機能層は、黒色であり、その厚さが１０〜３０μｍの範囲内であること、
を特徴とする透過型表示装置。
【請求項１０】
請求項１から請求項９までのいずれか１項に記載の透過型表示装置において、
前記遮光部は、光を反射する反射作用を有する層と光を吸収する光吸収作用を有する層とが積層された遮光機能層を備えること、
を特徴とする透過型表示装置。
【請求項１１】
請求項１から請求項１０までのいずれか１項に記載の透過型表示装置において、
前記遮光部は、接合層により少なくとも１枚の前記光学シートの前記導光板側の面に貼付されていること、
を特徴とする透過型表示装置。
【発明の詳細な説明】
【技術分野】
【０００１】
本発明は、透過型表示装置に関するものである。
【背景技術】
【０００２】
従来、ＬＣＤ（Ｌｉｑｕｉｄ  Ｃｒｙｓｔａｌ  Ｄｉｓｐｌａｙ）パネル等の透過型表示部を背面側から面光源装置によって照明し、映像を表示する透過型表示装置が知られている。このような透過型表示装置に用いられる面光源装置としては、エッジライト型、直下型等のものが知られている。
エッジライト型の面光源装置は、導光板の少なくとも一端面に対向する位置に、光源を配置する形態であり、各種光学シートの背面側に光源を配置する直下型の面光源装置に比べて、面光源装置の厚さを薄くできる等の利点がある。
【０００３】
このエッジライト型の面光源装置を用いる透過型表示装置では、透過型表示部を保持するフレーム部の内側面で光源部からの光が反射して表示画面領域に漏れ、表示される画像とは無関係に明るい部分が観察される光漏れといった現象が観察される場合がある。このような光漏れに対する対策は、様々なされている（例えば、特許文献１，２参照）。
【先行技術文献】
【特許文献】
【０００４】
【特許文献１】特開２００６−１５４３８３号公報
【特許文献２】特開２００７−５２２８５号公報
【発明の概要】
【発明が解決しようとする課題】
【０００５】
一般的に、透過型表示装置では、非観察画面領域となるＬＣＤパネルの周縁部を覆う枠状の部材であり、ＬＣＤパネルを観察面側から保持するベゼルを備えている。
近年、透過型表示装置の大画面化や、薄型化等に伴い、各種部材の省スペース化が行われており、ベゼルに関しても、その幅（ＬＣＤパネルを被覆する幅）をより狭くしたり、厚みを薄くしたりする傾向にある。
しかし、このようなベゼルの狭幅化に伴い、エッジライト型の面光源装置を用いる透過型表示装置では、光源部からの光が光学シートの光源部側側面等から入射して観察画面から出射することにより、ＬＣＤパネルの観察画面の光源部側端部に光が漏れているように観察される光漏れを生じるという問題がある。
特許文献１，２には、このような理由によって生じる光漏れに対する対策は開示されていない。
【０００６】
本発明の課題は、大画面化及びベゼルの狭幅化を実現しながら光漏れ等の表示不良を改善でき、良好な映像を表示できる透過型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、透過型表示部（１１）と、前記透過型表示部を背面側から照明する面光源装置（１０）と、前記透過型表示部よりも出射側に設けられ、前記透過型表示部の非観察画面領域となる周縁部を被覆する枠状のベゼル部（１８）とを備える透過型表示装置であって、前記面光源装置は、導光板（１３）と、前記導光板の少なくとも１つの側面に沿って配置された光源部（１２）と、前記導光板と前記透過型表示部との間に少なくとも１枚設けられる光学シート（１４，１６，１７）と、を備え、少なくとも１枚設けられる前記光学シートのうちのいずれか１枚（１４）は、その光源部側の端部に、前記光源部の延在する方向に沿って遮光機能を有する帯状の遮光部（１５）が設けられ、前記遮光部は、その画面中央側の端部が、前記ベゼル部の画面中央側の端部よりも画面外側に位置すること、を特徴とする透過型表示装置（１）である。
【０００８】
請求項２の発明は、請求項１に記載の透過型表示装置において、前記遮光部（１５）は、少なくとも１枚設けられる前記光学シートのうち、最も導光板側に配置される光学シート（１４）に設けられること、を特徴とする透過型表示装置（１）である。
請求項３の発明は、請求項１又は請求項２に記載の透過型表示装置において、前記遮光部（１５）の長手方向に平行かつ前記透過型表示部（１１）の観察画面に直交し、前記遮光部の前記導光板側の面であって画面中央側の端部となる点を通る平面（Ｈ１）と、前記遮光部の前記導光板側の面であって画面中央側の端部となる点（１５ａ）と前記ベゼル部（１８）の前記導光板側の面であって画面中央側の端部となる点（１８ａ）を通る平面（Ｈ２）とがなす角度をθとするとき、０．２≦ｔａｎθ≦０．９を満たすこと、を特徴とする透過型表示装置（１）である。
請求項４の発明は、請求項１から請求項３までのいずれか１項に記載の透過型表示装置において、前記遮光部（１５）は、その幅方向において、一部が前記導光板（１３）よりも前記光源部（１２）側に突出するように設けられていること、を特徴とする透過型表示装置（１）である。
【０００９】
請求項５の発明は、請求項１から請求項４までのいずれか１項に記載の透過型表示装置において、前記遮光部（１５）は、光を反射する反射作用を有する遮光機能層（１５３，１５３ａ，１５３ｃ）を備えること、を特徴とする透過型表示装置（１）である。
請求項６の発明は、請求項５に記載の透過型表示装置において、前記遮光機能層（１５３，１５３ａ）は、白色であり、前記遮光部の厚み方向において前記導光板側に設けられ、その厚さが１０〜４０μｍの範囲内であること、を特徴とする透過型表示装置（１）である。
請求項７の発明は、請求項５に記載の透過型表示装置において、前記遮光機能層（１５３ｃ）は、銀色であり、その厚さが１μｍ以下であること、を特徴とする透過型表示装置（１）である。
【００１０】
請求項８の発明は、請求項１から請求項７までのいずれか１項に記載の透過型表示装置において、前記遮光部（１５）は、光を吸収する光吸収作用を有する遮光機能層（１５３，１５３ｂ）を備えること、を特徴とする透過型表示装置（１）である。
請求項９の発明は、請求項８に記載の透過型表示装置において、前記遮光機能層（１５３，１５３ｂ）は、黒色であり、その厚さが１０〜３０μｍの範囲内であること、を特徴とする透過型表示装置（１）である。
【００１１】
請求項１０の発明は、請求項１から請求項９までのいずれか１項に記載の透過型表示装置において、前記遮光部（１５）は、光を反射する反射作用を有する層（１５３ａ）と光を吸収する光吸収作用を有する層（１５３ｂ）とが積層された遮光機能層（１５３）を備えること、を特徴とする透過型表示装置（１）である。
請求項１１の発明は、請求項１から請求項１０までのいずれか１項に記載の透過型表示装置において、前記遮光部（１５）は、接合層（１５１）により少なくとも１枚の前記光学シート（１４）の前記導光板側の面に貼付されていること、を特徴とする透過型表示装置（１）である。
【発明の効果】
【００１２】
本発明によれば、以下の効果を奏することができる。
（１）本発明による透過型表示装置は、面光源装置の導光板と透過型表示部との間に少なくとも１枚設けられる光学シートのうちのいずれか１枚が、その光源部側の端部に、光源部の延在する方向に沿って遮光機能を有する帯状の遮光部が設けられており、遮光部は、その画面中央側の端部が、ベゼル部の画面中央側の端部よりも画面外側に位置する。
従って、光源部からの光が導光板を透過せずに光学シートの側面から入射して観察画面上に漏れる光漏れや、光源部近傍の画面端部が他の領域よりも著しく明るく観察される明るさムラを改善し、良好な映像を表示することができる。
【００１３】
（２）遮光部は、少なくとも１枚設けられる前記光学シートのうち、最も導光板側に配置される光学シートに設けられるので、光漏れを効果的に低減できる。
【００１４】
（３）遮光部の長手方向に平行かつ透過型表示部の観察画面に直交し、遮光部の導光板側の面であって画面中央側の端部となる点を通る平面と、遮光部の導光板側の面であって画面中央側の端部となる点及びベゼル部の前記導光板側の面であって画面中央側の端部となる点を通る平面とがなす角度をθとするとき、０．２≦ｔａｎθ≦０．９を満たすので、光漏れや明るさムラを効果的に改善することができる。
【００１５】
（４）遮光部は、その幅方向において、一部が導光板よりも光源部側に突出するように設けられているので、光漏れを効果的に低減することができる。
【００１６】
（５）遮光部は、光を反射する反射作用を有する遮光機能層を備えるので、光を反射することにより、光源部側や導光板側へ戻すことができる。従って、光漏れを防止しながら、光の利用効率を高めることができる。
【００１７】
（６）遮光機能層は、白色であり、遮光部の厚み方向において導光板側に設けられ、その厚さが１０〜４０μｍの範囲内であるので、反射作用により光漏れを低減し、かつ、光の利用効率を高めることができる。また、遮光機能層の厚みと光源部の熱によるたわみや反り等の遮光部の変形も防止できる。
【００１８】
（７）遮光機能層は、銀色であり、その厚さが１μｍ以下であるので、反射作用が大きく、光漏れ防止効果及び光の利用効率を高めることができる。また、遮光機能層の厚みと光源部の熱によるたわみや反り等の遮光部の変形も防止できる。
【００１９】
（８）遮光部は、光を吸収する光吸収作用を有する遮光機能層を備えるので、光吸収作用により光漏れを改善することができる。
【００２０】
（９）遮光機能層は、黒色であり、その厚さが１０〜３０μｍの範囲内であるので、光吸収作用が大きく、光漏れを大幅に改善することができ、また、遮光機能層の厚みと光源部の熱によるたわみや反り等の遮光部の変形も防止できる。
【００２１】
（１０）遮光部は、光を反射する反射作用を有する層と光を吸収する光吸収作用を有する層とが積層された遮光機能層を備えるので、光を反射する作用及び光を吸収する作用により、光の利用効率を高めながら、光漏れを大幅に改善することができる。
【００２２】
（１１）遮光部は、接合層により少なくとも１枚の光学シートの導光板側の面に貼付されているので、遮光部を光学シートに容易に配設できる。
【図面の簡単な説明】
【００２３】
【図１】実施形態の透過型表示装置を説明する図である。
【図２】第１プリズムシートを説明する図である。
【図３】遮光部の層構成を説明する図である。
【図４】透過型表示装置の観察画面（シート面）に直交し、かつ、画面上下方向に平行な断面での光源部近傍の様子を示す図である。
【図５】光漏れについて説明する図である。
【発明を実施するための形態】
【００２４】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、プリズムシートは、プリズムフィルムとしてもよいし、プリズム板としてもよい。
さらに、本明細書中に記載する各部材の寸法等の数値及び材料名等は、実施形態としての一例であり、これに限定されるものではなく、適宜選択して使用してよい。
【００２５】
（実施形態）
図１は、実施形態の透過型表示装置を説明する図である。
透過型表示装置１は、ＬＣＤ（Ｌｉｑｕｉｄ  Ｃｒｙｓｔａｌ  Ｄｉｓｐｌａｙ）パネル１１と、ＬＣＤパネル１１を背面側から照明する面光源装置１０と、ＬＣＤパネル１１よりも出射側（観察面側）に配置されるベゼル１８と、面光源装置１０及びＬＣＤパネル１１をベゼル１８と挟んで保持する筐体部１９（図４参照）とを備える液晶透過型表示装置である。
面光源装置１０は、光源部１２、導光板１３、第１プリズムシート１４、遮光部１５、第２プリズムシート１６、光拡散シート１７等を備えており、エッジライト型の面光源装置（バックライト）である。
【００２６】
ＬＣＤパネル１１は、映像を表示する液晶透過型表示部である。ＬＣＤパネル１１は、略矩形状の略平板状の部材である。
ベゼル１８は、ＬＣＤパネル１１よりも出射側（観察面側）に配置される平板状の枠状の部材であり、ＬＣＤパネル１１の非観察画面領域となる周縁部を覆う部材である。そして、ベゼル１８の開口部分に相当する領域が透過型表示装置１の表示領域（観察画面領域）となる。このベゼル１８は、光を透過しない。
本実施形態の透過型表示装置１は、その表示領域の画面サイズが対角３２インチ（７４０ｍｍ×４２０ｍｍ）、解像度１２８０×７６８ドットである。
なお、図中及び以下の説明において、透過型表示装置１使用時において、観察者がＬＣＤパネル１１を正面から観察した場合の画面上下方向（鉛直方向）をＹ方向、画面左右方向（水平方向）をＸ方向、奥行方向（観察画面に直交する方向）をＺ方向とする。観察者は、観察者側Ｚ２から背面側Ｚ１に向けて、ＬＣＤパネル１１の画面の表示を視認する。以下の説明中において、特に断りが無い場合、画面左右方向、画面上下方向とは、透過型表示装置１及び面光源装置１０の使用状態における画面左右方向（Ｘ方向）、画面上下方向（Ｙ方向）であるとする。
【００２７】
光源部１２は、ＬＣＤパネル１１を背面から照明する光を発する部分である。本実施形態の光源部１２は、導光板１３の画面上下方向の一方（Ｙ１側）の端面となる入光面１３ａに面する位置に設けられている。
この光源部１２は、発光源として点光源であるＬＥＤ１２１を複数用いており、このＬＥＤ１２１が、入光面１３ａに沿って画面左右方向に等間隔で複数配列されている。
【００２８】
導光板１３は、光を導波させる略平板状の部材である。導光板１３は、光源部１２が発する光を入光面１３ａから入射させ、出光面１３ｃ及び背面１３ｄで全反射させながら他方の面１３ｂ側（Ｙ２側）へと画面上下方向に導光し、出光面１３ｃから第１プリズムシート１４側へ出射させる。
本実施形態の導光板１３は、アクリル系樹脂製であり、不図示の反射板側（Ｚ１側）となる背面１３ｄには、印刷等によりドット（不図示）等が形成されている。
なお、本実施形態の導光板１３は、略均等な厚みを有する略平板状である例を示しているが、これに限らず、例えば、画面上下方向において、光源部１２側となる入光面１３ａ側（Ｙ１側）が厚く、他方の面１３ｂ側（Ｙ２側）が薄い板状としてもよい。
導光板１３の背面側（Ｚ１側）には、光を反射可能な板状の部材である不図示の反射板が設けられている。この反射板は、背面側へ向かう光を、反射して再度第１プリズムシート１４側へ向ける機能を有している。
【００２９】
第１プリズムシート１４は、導光板１３より出射側（ＬＣＤパネル１１側）に配置され、導光板１３から出射した光を集光する作用を有する。
図２は、第１プリズムシート１４を説明する図である。図２（ａ）は、第１プリズムシート１４をシート面に直交し、かつ、単位プリズム１４１の配列方向に平行な断面の一部を拡大した図であり、図２（ｂ）は、第１プリズムシート１４を入射側の面（導光板１３側の面）１４ａから見た斜視図である。
ここで、シート面とは、各シートにおいて、そのシート全体として見たときにおける、シートの平面方向となる面を示すものであり、本明細書中、及び、特許請求の範囲においても同一の定義として用いている。例えば、第１プリズムシート１４のシート面は、第１プリズムシート１４全体として見たときにおける、第１プリズムシート１４の平面方向となる面であり、ＬＣＤパネル１１の観察画面に平行な面である。
【００３０】
第１プリズムシート１４は、その出射側（ＬＣＤパネル１１側、Ｚ２側）の面１４ｂに単位プリズム１４１が複数配列されている。単位プリズム１４１は、略三角柱状であり、画面左右方向（Ｘ方向）を長手方向とし、画面上下方向（Ｙ方向）に配列されている。
また、第１プリズムシート１４は、その入射側（導光板１３側、Ｚ１側）の面１４ａの光源部１２側の端部に、遮光部１５を備えている。
遮光部１５は、帯状であって、画面左右方向（Ｘ方向）を長手方向として、第１プリズムシート１４の光源部１２側（Ｙ１側）端部に設けられている。この遮光部１５の詳細な形状等については、後述する。
【００３１】
図２（ａ）に示すように、単位プリズム１４１は、配列方向に平行であってシート面に直交する断面での断面形状が、底角をαとする略二等辺三角形形状である。この単位プリズム１４１の配列ピッチ（頂点ｔ間の距離）はＰであり、この単位プリズム１４１の高さ（シート面に直交する方向における単位プリズム１４１の頂点ｔから単位プリズム１４１間の谷底となる点ｖまでの寸法）はｈである。単位プリズム１４１の頂点ｔを含む頂部は曲率半径Ｒの曲面となっている。
本実施形態の単位プリズム１４１は、底角α＝４５°、配列ピッチＰ＝６４μｍ、高さｈ＝３２μｍ、曲率半径Ｒ＝１μｍであり、第１プリズムシート１４の厚さは１４０μｍである。
第１プリズムシート１４は、ＰＣ（ポリカーボネート）樹脂を押し出し成形することにより形成されている。第１プリズムシート１４の屈折率は、１．５８５である。
【００３２】
この第１プリズムシート１４は、シート面（ＬＣＤパネル１１の観察画面）に直交し、かつ、光源部１２の延在方向に直交する断面（ＹＺ平面）において、面光源装置１０を構成する他の光学シート（第２プリズムシート１６、光拡散シート１７）及びＬＣＤパネル１１よりも、光源部１２側（Ｙ１側）に突出している（後述の図４参照）。従って、本実施形態の第１プリズムシート１４は、その画面上下方向（Ｙ方向）の寸法が、第２プリズムシート１６、光拡散シート１７、ＬＣＤパネル１１よりも大きい。
【００３３】
第２プリズムシート１６は、第１プリズムシート１４よりもＬＣＤパネル１１側（観察面側、Ｚ２側）に設けられた光学シートである。この第２プリズムシート１６は、出射側（ＬＣＤパネル１１側、Ｚ２側）の面に単位プリズム１６１が画面左右方向（Ｘ方向）に複数配列されている。第２プリズムシート１６の単位プリズム１６１の配列方向と、第１プリズムシートの単位プリズム１４１の配列方向は、シート面に直交する方向からみて直交している。第２プリズムシート１６の単位プリズム１６１は、第１プリズムシート１４の単位プリズム１４１と同形状である。
従って、第２プリズムシート１６は、その画面上下方向（Ｙ方向）における寸法と、単位プリズム１６１の配列方向が第１プリズムシート１４とは異なる点以外は、第１プリズムシート１４と略同様の形態である。
【００３４】
光拡散シート１７は、第２プリズムシート１６とＬＣＤパネル１１との間に設けられ、出射側の面に微細な凸形状が形成された光拡散作用を有するシート状の部材である。
光拡散シートとして使用されるものには、透明基材フィルムの表面に拡散剤をコーティングしたタイプ、拡散剤を基材に練り込んだタイプ、表面を粗面にしたタイプ、及びこれらの組み合わせが存在する。
本実施形態の光拡散シート１７は、これらの内で、透明基材フィルムの表面に拡散剤をコーティングしたタイプであり、透明基材層（フィルム）上に、バインダ中に微小ビーズを混練した拡散層をコートして形成している。この拡散層は、微小ビーズをバインダよりも突出させることにより、表面に微細凸形状が形成されている。
【００３５】
このような光拡散シート１７は、微小ビーズのトップの丸い部分が突出するため、レンズ効果を発揮するので、視野角の広い拡散光が入射した場合には、集光効果を発揮し、視野角の狭い拡散光が入射した場合には、拡散効果を発揮する。また、表面にコーティングする拡散剤の量を変えることにより、レンズ効果（集光及び拡散効果）を調整することが可能となる。拡散剤の量が少ないと拡散剤の密度が小さいため、レンズ効果よりも粗面による散乱効果が大きくなり、視野角の広い拡散光に対する集光効果が小さくなる。さらに、拡散剤を分散させてコーティングしているので、周期構造を持たず、モアレが発生することもない。
本実施形態で使用した光拡散シート１７は、恵和（株）製の光拡散フィルムＢＳ−７０２であり、ヘイズ値は、８９．２％（メーカーカタログ値）である。また、透明基材層（フィルム）は、厚さ１８８μｍであり、光拡散シート１７としての厚さは２２０μｍである。
なお、このような光拡散シート１７に換えて、例えば、特定の偏光状態の光のみを透過し、それ以外の偏光状態の光を導光板側へ反射する偏光反射シートを用いてもよいし、この光拡散シート１７と偏光反射シートとを組み合わせて用いてもよい。
【００３６】
図３は、遮光部１５の層構成を説明する図である。図３（ａ）〜（ｄ）では、シート面に直交し（Ｚ方向）、画面上下方向（Ｙ方向）に平行な断面を拡大して示しており、各図において、紙面左側が光源部１２側（Ｙ１側）である。なお、図３では、理解を容易にするために、単位プリズム１４１の形状は省略して示している。
この遮光部１５は、図２（ｂ）に示すように、帯状の部材であり、第１プリズムシート１４の導光板１３側の面１４ａの光源部１２側の端部に設けられている。この遮光部１５の幅（画面上下方向の寸法）は、Ａである。また、遮光部１５は、総厚が１００μｍ以下となることが、遮光部１５の厚みによって形成される隙間による第１プリズムシート１４の撓み等を防止する観点等から好ましい。
遮光部１５は、接合層１５１、基材層１５２、遮光機能層１５３を備えている。
接合層１５１は、この遮光部１５を第１プリズムシート１４に接合するための層であり、各種粘着材や接着材等を用いることができる。この接合層１５１は、透明又は半透明である。接合層１５１の厚さは、５〜１０μｍの範囲内が好ましい。
本実施形態の接合層は、感圧型接着剤であり、アクリル樹脂製である。
【００３７】
基材層１５２は、この遮光部１５の基材（ベース）となる層である。基材層１５２は、透明又は半透明の樹脂製のシート状の部材である。この基材層１５２としては、ＰＣ樹脂や、ＰＥＴ（ポリエチレンテレフタレート）樹脂、汎用樹脂等の樹脂製のシートを用いることができ、本実施形態では、ＰＥＴ樹脂製のシートを用いている。この基材層１５２の厚さは、２０〜２５μｍの範囲内が好ましい。
遮光機能層１５３は、光を反射又は吸収することにより遮光する機能を有する層である。
【００３８】
遮光部１５は、その遮光機能層１５３の遮光機能に用いられる特性や層構成等により、例えば、以下の４つの例が挙げられる。なお、遮光部１５の層構成等は、以下の例に限定されるものではない。
図３（ａ）に示す遮光部１５−１の遮光機能層１５３は、光を反射する作用を有している。従って、遮光部１５−１は、遮光機能層１５３の光反射作用による遮光性を有している。
この遮光部１５−１の遮光機能層１５３は、基材層１５２の接合層１５１とは反対側の面に酸化チタン系の白色塗料を所定の厚さでコーティング等して形成されている。このような光を反射する作用を有する遮光機能層１５３とする場合には、その反射率が７０％以上であることが好ましい。また、遮光機能層１５３として、白色塗料に限らず、他の反射性の高い明色系の塗料やマイカやビーズ等を含有する塗料等を用いてもよい。
【００３９】
図３（ｂ）に示す遮光部１５−２の遮光機能層１５３は、光を吸収する光吸収作用を有している。従って、この遮光部１５−２は、遮光機能層１５３の光吸収作用による遮光性を有している。
この遮光機能層１５３は、基材層１５２の接合層１５１とは反対側の面にカーボンブラック等の黒色塗料を所定の厚さでコーティング等して形成されている。このような光吸収作用を有する遮光機能層１５３とする場合には、その透過率が０．５％以下であることが好ましい。また、黒色塗料に限らず、他の光吸収性の高い暗色系の塗料を用いてもよいし、表面にマット形状等を付してもよい。
【００４０】
図３（ｃ）に示す遮光部１５−３の遮光機能層１５３は、光反射作用及び光吸収作用の双方を有しており、基材層１５２の接合層１５１とは反対側の面に設けられ、光吸収作用を有する第２遮光機能層１５３ｂと、この第２遮光機能層１５３ｂよりも導光板１３側に設けられる光反射性を有する第１遮光機能層１５３ａとが積層された形態となっている。
この遮光部１５−３は、遮光機能層１５３に入射した光の一部を第１遮光機能層１５３ａによって光を反射し、かつ、第１遮光機能層１５３ａを透過した光を第２遮光機能層１５３ｂで吸収することにより遮光を実現している。
この遮光機能層１５３は、前述の白色塗料及び黒色塗料等を、基材層１５２の接合層１５１とは反対側の面に、黒色塗料を基材層１５２側としてそれぞれ所定の厚さで２層コーティングして形成されている。なお、第１遮光機能層１５３ａ及び第２遮光機能層１５３ｂに用いる塗料は、前述のように、所定の反射率及び透過率を満たすものを適宜使用してよい。
【００４１】
図３（ｄ）に示す遮光部１５−４の遮光機能層１５３は、図３（ｄ）に示すように、第１遮光機能層１５３ａ及び第２遮光機能層１５３ｂを、第２遮光機能層１５３ｂを基材層１５２側として、基材層１５２の接合層１５１とは反対側の面に積層された状態で備え、さらに、基材層１５２の接合層１５１側（第１プリズムシート１４側）の面に、光反射性を有する第３遮光機能層１５３ｃを有している。この第３遮光機能層１５３ｃは、銀やアルミ、クロム等の高い反射性を有する金属の蒸着膜である。なお、蒸着膜に限らず、スパッタ等による膜としてもよし、銀色系の塗料の塗膜としてもよい。
この遮光部１５−４は、遮光機能層１５３に入射した光の一部を第１遮光機能層１５３ａによって光を反射し、かつ、第１遮光機能層１５３ａを透過した光の一部を第２遮光機能層１５３ｂで吸収させ、さらに、第２遮光機能層１５３ｂで吸収されず基材層１５２を透過した光を第３遮光機能層１５３ｃで反射して第２遮光機能層１５３ｂへ向かわせ、吸収させることにより遮光を実現している。
本実施形態の遮光部１５は、光源部１２の種類や透過型表示装置１の画面サイズ、使用環境等に応じて、上述の形態のいずれかを適宜選択して選んでよい。
【００４２】
図４は、実施形態の透過型表示装置１の観察画面（シート面）に直交し、かつ、画面上下方向に平行な断面（ＹＺ平面）での光源部１２近傍の様子を示す図である。
筐体部１９は、この透過型表示装置１の側面を保護する側面部１９ａ及び背面を保護する背面部１９ｂを有しベゼル１８とともにＬＣＤパネル１１及び面光源装置１０を挟むように収納する部材である。背面部１９ｂは、略平板状であり、側面部１９ａはその背面部の周縁部に背面部１９ｂの面に略直交する方向に凸となる平板状の枠状の部材である。
図４に示すように、光源部１２は、側面部１９ａの内側（導光板１３側）に設けられている。なお、これに限らず、背面部１９ｂの側面部１９ａ側端部に設けられていてもよい。また、前述の反射板は、この背面部１９ｂの内側（導光板１３側）に設けられている。
【００４３】
また、図４に示すように、第１プリズムシート１４は、その光源部１２側端部が、導光板１３よりも光源部１２側（Ｙ１側）に突出している。図４では、各部の寸法の理解を容易にするために、第１プリズムシート１４と側面部１９ａとはわずかに間隔をあけた状態で記載しているが、実際には、第１プリズムシート１４の光源部１２側端部は側面部１９ａの内側に接しているか、又は、略接している状態となっている。そして、遮光部１５は、第１プリズムシート１４のこの突出している部分及び導光板１３と重なる部分にわたって設けられている。
シート面（観察画面）に直交し、画面上下方向（光源部１２のＬＥＤの配列方向（冷陰極管の場合は長手方向）に直交する方向）において、遮光部１５の幅はＡであり、この遮光部１５が導光板１３より突出している部分の幅がＡ１、導光板１３上に重なっている部分の寸法がＡ２である（Ａ＝Ａ１＋Ａ２）。本実施形態では、幅Ａ＝６．０ｍｍであり、Ａ１＝１．５ｍｍ、Ａ２＝４．５ｍｍである。
【００４４】
図４に示す断面において、遮光部１５の幅方向（画面上下方向）の画面内側（Ｙ２側）端部であって厚み方向における導光板１３側（Ｚ１側）端部となる点を点１５ａとし、ベゼル１８の幅方向（画面上下方向）における画面内側（Ｙ２側）であって厚み方向における導光板１３側（Ｚ１側）の点を点１８ａとするとき、点１５ａを通り、第１プリズムシート１４のシート面（ＬＣＤパネル１１の観察画面）に直交する平面を平面Ｈ１、点１５ａ及び点１８ａを通る平面を平面Ｈ２とし、この直線Ｈ１，Ｈ２がなす角度をθとするとき、透過型表示装置１（ベゼル１８及び遮光部１５）は、
０．２≦ｔａｎθ≦０．９
という式を満たす形態となっている。なお、この平面Ｈ１は、遮光部１５の長手方向に平行かつＬＣＤパネル１１の観察画面に直交している。
ここで、画面上下方向において、遮光部１５よりも画面内側に位置するベゼル１８の幅方向の寸法をＢとし、この透過型表示装置１の厚み方向（第１プリズムシート１４のシート面（ＬＣＤパネル１１の観察画面）に直交する方向）における遮光部１５の導光板１３側の面からベゼル１８のＬＣＤパネル１１側の面までの寸法をＣとすると、
ｔａｎθ＝Ｂ／Ｃ
である。従って、
０．２≦ｔａｎθ＝Ｂ／Ｃ≦０．９
という関係を、透過型表示装置１（ベゼル１８及び遮光部１５）は満たしている。本実施形態の透過型表示装置１では、ｔａｎθ＝０．２である。
【００４５】
ここで、光漏れの発生の様子を説明する。
図５は、光漏れについて説明する図である。
図５では、遮光部を備えていない透過型表示装置１Ｂを示す。図５では、図４と同様に、透過型表示装置の観察画面（シート面）に直交し、かつ、画面上下方向に平行な断面（ＹＺ平面）での光源部１２近傍の様子を示している。
近年の透過型表示装置１の大画面化等にともなってベゼル１８の幅を狭くする傾向になる。そのため、ベゼル１８の幅が狭くなることにおり、図５に示すように、遮光部１５を設けていない透過型表示装置１Ｂでは、光源部１２からの光が、導光板１３を透過せず、導光板１３上の各光学シート（遮光部１５を備えない第１プリズムシート１４Ｂ，第２プリズムシート１６，光拡散シート１７）の光源部１２側の端面から入射し、ベゼル１８近傍から出射して観察される光漏れが生じる。
本実施形態では、上述のように、第１プリズムシート１４に遮光部１５を設けることにより、この光漏れの要因となる光を遮光し、光漏れを改善している。
【００４６】
ここで、遮光部１５の種類や厚さによる光漏れ防止効果と光源部１２からの熱による遮光部１５のたわみの有無を評価した。
以下に示す表１において、表１−１は、遮光機能層１５３を、光を反射する作用を有するものとした図３（ａ）に示す遮光部１５−１の形態での評価結果を示す表であり、表１−２は、遮光機能層１５３を、光吸収作用を有するものとした図３（ｂ）に示す遮光部１５−２の形態での評価結果を示す表である。表１−３は、遮光機能層１５３を、光を反射する作用を有する第１遮光機能層１５３ａ及び光を吸収する作用を有する第２遮光機能層１５３ｂが積層された形態とした図３（ｃ）に示す遮光部１５−３の形態での評価結果を示す表である。表１−４は、遮光機能層１５３を、第１遮光機能層１５３ａ及び第２遮光機能層１５３ｂが積層された形態とし、さらに、基材層１５２の接合層１５１側に、光を反射する作用を有する第３遮光機能層１５３ｃを設けた図３（ｄ）に示す遮光部１５−４の形態での評価結果を示す表である。
【００４７】
遮光部１５は、その幅Ａ＝６．０ｍｍ（Ａ１＝１．５ｍｍ、Ａ２＝４．５ｍｍ）、基材層１５２の厚さが２０μｍ、接合層１５１の厚さが１０μｍは共通するが、遮光機能層１５３の厚さがそれぞれ異なる評価用のサンプルを作製し、第１プリズムシート１４に貼付し、実際に透過型表示装置１に組み込み、光源部１２を点灯し、ＬＣＤパネル１１を白色表示して、光漏れや明るさムラ等の発生の有無を評価した。この評価に用いた透過型表示装置１は、ｔａｎθ＝Ｂ／Ｃ＝０．２であり、θ＝１１．３°である。
なお、光を反射する作用を有する遮光部１５−１の遮光機能層１５３及び遮光部１５−３，１５−４第１遮光機能層１５３ａは、酸化チタンを含有する白色塗料により形成した。また、光を吸収する作用を有する遮光部１５−２の遮光機能層１５３及び遮光部１５−３，１５−４第２遮光機能層１５３ｂは、カーボンブラックを主成分とする黒色塗料により形成した。さらに、第３遮光機能層１５３ｃは、銀の蒸着膜とした。
【００４８】
光漏れについては、暗室環境下において、ＬＣＤパネル１１の観察画面の中央の法線方向Ｚ２側２ｍの位置から観察し、観察画面の光源部１２近傍に光漏れが観察されるか否かを目視によって評価した。
表１において、光漏れが全く観察されない非常に良好なものを「５」で示し、光漏れが極めて僅かに観察される良好なものを「４」で示し、光漏れが僅かに観察されるが使用可能であり使用に適する限度（許容範囲内）であるものを可として「３」で示し、光もれが観察されて使用に適さないものを不適として「２」で示し、光漏れが著しく観察され全く使用に適さないものを不可として「１」で示した。
【００４９】
また、遮光部１５のたわみに関しては、常温常湿（温度２５℃、湿度５０％ＲＨ）の環境下において、透過型表示装置１の光源部１２を１２時間点灯した場合の遮光部１５のたわみや反り等の変形の有無を目視で評価した。
遮光部１５のたわみや反り等の変形は、光源部１２の発する熱による第１プリズムシート１４と遮光機能層１５３との熱膨張係数の差により生じるものと考えられる。このたわみや反り等は、遮光部１５の光漏れ低減効果の妨げになるだけでなく、第１プリズムシート１４の変形等を招き、輝度ムラ等の表示不良を生じさせるので、発生しないことが好ましい。
【００５０】
表１において、たわみや反り等の変形が全く生じていない非常に良好なものを「５」で示し、たわみ等が極めて僅かに生じた良好なものを「４」で示し、たわみ等が僅かに生じているが使用可能であり使用に適する限度であるものを可として「３」で示し、たわみ等が生じており使用に適さないものを不適として「２」で示し、たわみ等が著しく生じており全く使用に適さないものを不可として「１」で示した。
また、表１に示す光漏れ及びたわみや反り等の変形の総合評価については、光漏れの評価及びたわみや反り等の評価に基づいて行ったものであり、表１において、非常に良好なものを「５」で示し、良好なものを「４」で示し、使用に適する限度（許容範囲内）のものを可として「３」で示し、使用に適さないものを不適として「２」で示し、全く使用に適さないものを不可として「１」で示した。なお、ここでの総合評価に限り、光漏れの評価の方をより重要として判定している。
【００５１】
【表１】
2012208307.tif 000003
【００５２】
（図３（ａ）に示す遮光部１５−１の場合）
まず、遮光部１５−１の結果について述べる。
表１−１に示すように、遮光機能層１５３の厚さを５μｍとしたものは、遮光部１５−１のたわみや反り等は生じていなかったが、光漏れが観察されており、使用に適さなかった。この遮光機能層１５３の厚さが５μｍの遮光部１５は、その反射率が７０％未満であった。これは、遮光機能層１５３の厚さが薄く、光の反射性が不十分であったためと考えられる。
また、遮光機能層１５３の厚さを５０μｍとしたものは、厚みが十分であり、光漏れは生じなかったが、たわみや反り等が生じており、使用に適さなかった。
一方、遮光機能層１５３の厚さを１０μｍ，２０μｍ，３０μｍ，４０μｍとしたものは、光漏れの低減効果も十分であり、たわみや反り等も生じていないか生じていても僅かであるか許容範囲内であり、総合評価がいずれも良又は良好であった。特に、厚みを２０μｍとした場合には、光漏れが観察されず、たわみ等も生じておらず、非常に良好な結果が得られた。このとき、２０μｍ厚の白色の遮光機能層１５３を備えた遮光部１５−１の反射率は、約８０％であった。
【００５３】
（図３（ｂ）に示す遮光部１５−２の場合）
次に、遮光部１５−２の結果について述べる。
表１−２に示すように、遮光機能層１５３の厚さを５μｍとしたものは、たわみや反り等は生じていなかったが、光漏れが観察されており、使用に適さなかった。この厚さ５μｍの黒色の遮光機能層１５３を備えた遮光部１５の透過率は０．５％を超えており、遮光機能層１５３の厚みが薄く、光吸収作用による遮光性が不十分であったためと考えられる。
また、遮光機能層１５３の厚さを４０μｍとしたものは、光漏れは生じなかったが、たわみや反り等が生じており、使用に適さなかった。
一方、遮光機能層１５３の厚さを１０μｍ，２０μｍ，３０μｍとしたものは、遮光機能層１５３の光吸収作用が十分であり、光漏れが殆ど観察されない又は全く観察されず、たわみ等も生じていないか生じていても僅かであるか許容範囲内であり、総合評価が良又は良好であった。
特に、遮光機能層１５３の厚みを２０μｍとした場合には、光漏れが観察されず、たわみも僅かしか生じておらず、非常に良好な結果が得られた。このとき、２０μｍ厚の遮光機能層１５３を備えた遮光部１５−２の透過率は、約０．０５％であった。
【００５４】
（図３（ｃ）に示す遮光部１５−３の場合）
次に、遮光部１５−３の結果について述べる。
表１−３の左枠に示すように、第１遮光機能層１５３ａ及び第２遮光機能層１５３ｂの厚さをともに変化させた場合、第１遮光機能層１５３ａ及び第２遮光機能層１５３ｂの厚さをともに５μｍとしたものは、たわみや反り等は生じていなかったが、光反射作用及び光吸収作用による遮光性が不十分であり、光漏れが生じており、使用に適さなかった。
また、第１遮光機能層１５３ａ及び第２遮光機能層１５３ｂの厚さを共に３０μｍ、４０μｍとしたものは、光反射作用及び光吸収作用による遮光性が十分であり光漏れは全く生じなかったが、たわみや反り等の変形が著しく生じており、使用に適さなかった。
一方、第１遮光機能層１５３ａ及び第２遮光機能層１５３ｂの厚さを共に１０μｍ、２０μｍとしたものは、光反射作用及び光吸収作用による遮光性が十分となり、光漏れが殆ど観察されない又は全く観察されず、たわみ等の変形も生じていないか生じていても許容範囲内であり、総合評価が良又は良好であった。特に、第１遮光機能層１５３ａ及び第２遮光機能層１５３ｂの厚さを共に１０μｍとした場合には、光漏れが殆ど観察されず、たわみ等が生じておらず、非常に良好な結果が得られた。
【００５５】
また、表１−３の中枠に示すように、第２遮光機能層１５３ｂの厚さを２０μｍとし、第１遮光機能層１５３ａの厚さを変化させた場合、第１遮光機能層１５３ａの厚さを３０μｍ，４０μｍとしたものは、光漏れは全く生じなかったが、たわみや反り等が著しく生じており、使用に適さなかった。
一方、第２遮光機能層１５３ｂの厚さを２０μｍとし、第１遮光機能層１５３ａの厚さを５μｍ，１０μｍ，２０μｍとしたものは、光反射作用及び光吸収作用による遮光性が十分であり、光漏れが殆ど観察されない又は全く観察されず、たわみ等も生じていないか生じていても僅かであるか許容範囲内であり、総合評価が良又は良好であった。特に、第１遮光機能層１５３ａの厚みを１０μｍとした場合には、光漏れが観察されず、たわみも殆ど生じておらず非常に良好な結果が得られた。
【００５６】
また、表１−３の右枠に示すように、第１遮光機能層１５３ａの厚さを２０μｍとし、第２遮光機能層１５３ｂの厚さを変化させた場合、第２遮光機能層１５３ｂの厚さを３０μｍ，４０μｍとしたものは、光漏れは全く生じなかったが、たわみや反り等が著しく生じており、使用に適さなかった。
一方、第１遮光機能層１５３ａの厚さを２０μｍとし、第２遮光機能層１５３ｂの厚さを５μｍ，１０μｍ，２０μｍとしたものは、光反射作用及び光吸収作用による遮光性が十分であり、光漏れが殆ど観察されない又は全く観察されず、たわみ等も生じていないか生じていても僅かであるか許容範囲内であり、総合評価が良又は良好であった。特に、第２遮光機能層１５３ｂの厚みを１０μｍとした場合には、光漏れが観察されず、たわみも殆ど生じておらず非常に良好な結果が得られた。
【００５７】
（図３（ｄ）に示す遮光部１５−４の場合）
表１−４に示すように、第１遮光機能層１５３ａ及び第２遮光機能層１５３ｂの厚さを共に３０μｍ，４０μｍとし、第３遮光機能層の厚さを５００ｎｍとしたものは、光漏れは全く生じなかったが、たわみや反り等が著しく生じており、使用に適さなかった。
一方、第１遮光機能層１５３ａ及び第２遮光機能層１５３ｂの厚さをともに５μｍ、１０μｍ、２０μｍとし、第３遮光機能層１５３ｃの厚さを５００ｎｍとしたものは、光反射作用及び光吸収作用による遮光性が十分であり、光漏れが殆ど観察されない又は全く観察されず、たわみが生じておらず、総合評価は良又は良好であった。特に、第１遮光機能層１５３ａ及び第２遮光機能層１５３ｂの厚さを共に１０μｍとし、第３遮光機能層１５３ｃの厚さを５００ｎｍとしたものは、光漏れが観察されず、たわみも生じておらず、しかも、同じく良好な第１遮光機能層１５３ａ及び第２遮光機能層１５３ｂの厚さを共に２０μｍとし第３遮光機能層１５３ｃの厚さを５００ｎｍとしたものと比べて厚みも薄くでき、非常に良好な結果が得られた。
さらに、遮光機能層１５３として第１遮光機能層１５３ａ及び第２遮光機能層１５３ｂを積層した遮光部１５−３の形態に比べ、第１遮光機能層１５３ａ及び第２遮光機能層１５３ｂの厚さが薄い場合（例えば、第１遮光機能層１５３ａ及び第２遮光機能層１５３ｂの厚さがともに５μｍの場合）であっても、第３遮光機能層１５３ｃの光反射作用により、光漏れ防止効果が向上していた。
【００５８】
（遮光部１５とベゼル１８との位置関係について）
次に、遮光部１５とベゼルの位置関係について、ｔａｎθの値と観察角度を様々に変化させ、光漏れや明るさムラ等の発生の有無を評価した。
評価に用いた遮光部１５は、図３（ｃ）に示す遮光部１５−３の形態で有り、第１遮光機能層１５３ａ及び第２遮光機能層１５３ｂの厚さが共に１０μｍ、基材層１５２の厚さが２０μｍ、接合層１５１の厚さが１０μｍ、遮光部１５の幅Ａ＝６．０ｍｍ（Ａ１＝１．５ｍｍ、Ａ２＝４．５ｍｍ）である。
ここで、明るさムラとは、観察画面の光源部１２側の端部に、他の領域よりも極端に明るい領域が生じる観察画面内の明るさのムラをいう。これは、光漏れとは発生原因が異なり、ベゼル１８の画面中央側端部での明暗差が顕著である場合に生じやすくなる。また、この明るさムラは、光漏れと同様に、観察画面の光源部１２側端部に生じるが、光漏れよりも明るく、他の領域の明暗差が大きく観察されるものである。この明るさムラは、遮光部１５によって遮光されるため、遮光部１５近傍では光の落ち方が顕著になることによって、他の領域よりも極端に明るい領域がさらに際立つため、より認識され易くなる。
光漏れ及び明るさムラに関しては、透過型表示装置１（ＬＣＤパネル１１）の画面中央を通る法線方向Ｚ２側２ｍの位置から、画面中央を通る法線に対して水平方向に０°、１５°、３０°、４５°、６０°、７５°、８５°をなす方向から目視によって観察し、観察されるか否かによって評価し、その結果を表２にまとめた。
表２において、明るさムラが全く観察されない非常に良好なものを「５」で示し、明るさムラが極めて僅かに観察される良好なものを「４」で示し、明るさムラが僅かに観察されるが使用可能であり使用に適する限度であるものを可として「３」で示し、明るさムラが観察され使用に適さないものを不適として「２」で示し、明るさムラが著しく観察され全く使用に適さないものを不可として「１」で示した。
また、光漏れ及び総合評価の評価基準は前述の表１と同様である。
【００５９】
【表２】
2012208307.tif 000004
【００６０】
表２に示すように、透過型表示装置において、ｔａｎθ＝Ｂ／Ｃ＜０．２となると、光漏れは改善されるが、明るさムラが観察されやすくなるという結果が得られた。また、ベゼル１８端部と遮光部１５端部の幅方向（Ｙ方向）位置が近すぎるため、観察角度によっては、遮光部１５が使用者に観察されてしまい、外観上も好ましくなかった。
次に、透過型表示装置において、０．２≦ｔａｎθ＝Ｂ／Ｃ≦０．９を満たす場合、表２にも示すように、光漏れも明るさムラも改善され、非常に良好な結果が得られた。
さらに、透過型表示装置において、ｔａｎθ＝Ｂ／Ｃ＞０．９となると、明るさムラは改善されるが、光漏れが観察されやすくなるという現象が生じていた。加えて、ｔａｎθ＝Ｂ／Ｃ＞０．９である場合、ベゼル１８の幅が広くなる傾向になるため、観察画面の画面化及び筐体の省スペース化という観点からも好ましくない。
以上の結果から、いずれの観察角度から観察する場合においても、０．２≦ｔａｎθ＝Ｂ／Ｃ≦０．９を満たすことが、光漏れ及び明るさムラを低減し、良好な映像を表示する観点から好ましく、本実施形態の透過型表示装置１は、これを満たしている。
【００６１】
なお、透過型表示装置において、ｔａｎθ＝Ｂ／Ｃ＜０．２となると、光漏れは改善されるが、明るさムラが観察されやすく理由としては、以下のような理由が考えられる。
光源部１２側端部は、遮光部１５により遮光されているため、遮光部１５より画面中央側から光がＬＣＤパネル１１側へ多く出射する形態となる。透過型表示装置１がｔａｎθ＝Ｂ／Ｃ＜０．２となる場合、画面上下方向における画面中央側のベゼル１８端部と遮光部１５端部の位置が近くなる傾向にある。そのため、ベゼル１８の画面中央側端部近傍での明暗差が顕著となり、光源部１２近傍の画面端部が必要以上に明るくなり、明るさムラとして感じられる。
しかし、透過型表示装置１が０．２≦ｔａｎθ＝Ｂ／Ｃを満たす場合、画面上下方向における画面中央側のベゼル１８端部と遮光部１５端部の位置が離れる傾向にあり、ＬＣＤパネル１１の画面上下方向の光源部１２側端部から出射した光の一部は、ベゼル１８の内側で反射する等して拡散される。これにより、ベゼル１８の画面中央側端部近傍での明暗差が緩和され、明るさムラが低減されると考えられる。
また、透過型表示装置において、ｔａｎθ＝Ｂ／Ｃ＞０．９となると、明るさムラは改善されるが、光漏れが観察されやすくなるという現象が生じていた。この現象は、観察角度（画面中央を通る法線に対して水平方向になす角度）が小さい場合ほど顕著に発生していた。この理由は様々な要因が絡んで生じるものと思われる。
【００６２】
以上のことから、本実施形態によれば、光漏れや明るさムラのない、良好な映像を観察できる透過型表示装置１とすることができる。
また、使用環境や光源種等に応じて、遮光部１５の種類を適宜選択して用いることができる。この遮光部１５は、光源部１２の近傍で使用した場合であってもたわみや反り等の変形が生じることがない。しかも、第１プリズムシート１４の光源部１２側の入射面に貼付することにより、容易に設けることができる。
さらに、本実施形態によれば、０．２≦ｔａｎθ＝Ｂ／Ｃ≦０．９を満たすことにより、光漏れも明るさムラも低減できることができるので、各種サイズの透過型表示装置に適用可能である。
【００６３】
（変形形態）
以上説明した実施形態に限定されることなく、種々の変形や変更が可能であって、それらも本発明の範囲内である。
（１）本実施形態では、面光源装置１０は、光源部１２が導光板１３の１つの端面１３ａに沿って配置される１灯式の例を示したが、これに限らず、例えば、光源部１２が導光板１３の対向する２つの端面（例えば１３ａ，１３ｂ）に沿って配置される２灯式や、光源部１２が導光板１３の４つの端面に沿って配置される４灯式の面光源装置としてもよい。
また、本実施形態では、光源部１２は、複数のＬＥＤ１２１が複数配列されているものとしたが、これに限らず、例えば、冷陰極管を用いてもよい。
【００６４】
（２）本実施形態では、遮光部１５は、最も導光板１３側に配設される光学シートである第１プリズムシート１４に設けられる例を示したが、これに限らず、他の光学シートの導光板１３側の面に設けてもよいし、ＬＣＤパネル１１の導光板１３側の面に設けてもよい。また、導光板１３側ではなく、光学シートのＬＣＤパネル１１側の面に設けてもよい。このとき、遮光部１５及びベゼル１８の位置関係は、０．２≦ｔａｎθ＝Ｂ／Ｃ≦０．９を満たしていることが好ましい。
【００６５】
（３）本実施形態では、接合層１５１及び基材層１５２は透明又は半透明である例を示したが、これに限らず、例えば、接合層１５１を形成する粘着材や接着材に顔料や染料等を加えて着色し、不透明としてもよい。
【００６６】
（４）遮光部１５は、本実施形態において示した以外の層構成としてもよい。例えば、基材層１５２の一方の面に黒色の遮光機能層を形成し、他方の面に銀の蒸着面を形成してもよい。また、遮光機能層１５３として銀やアルミ等の蒸着膜のみを設ける形態としてもよい。
【００６７】
（５）本実施形態において、最も導光板１３側に配置される第１プリズムシート１４は、底角αの二等辺三角柱形状である単位プリズム１４１が複数配列される例を示したが、これに限らず、例えば、楕円柱レンズや半円柱レンズ等が配列されたレンチキュラーレンズシートとしてもよいし、ハエの目レンズが複数形成されたマイクロレンズアレイシート等としてもよい。
また、第１プリズムシート１４は、ＰＣ樹脂を押し出し成形することにより形成される例を示したが、これに限らず、例えば、樹脂製のシートの片面に紫外線硬化型樹脂等により単位プリズム１４１を形成したものとしてもよい。
【００６８】
（６）本実施形態において、面光源装置１０は、導光板１３よりＬＣＤパネル１１側に、第１プリズムシート１４、第２プリズムシート１６、光拡散シート１７を備える例を示したが、これに限らず、面光源装置１０として用いる光学シートの枚数や光学シートの種類、積層順等は、使用環境等に応じて適宜変更してよい。
【００６９】
なお、本実施形態及び変形形態は、適宜組み合わせて用いることもできるが、詳細な説明は省略する。また、本発明は以上説明した各実施形態によって限定されることはない。
【符号の説明】
【００７０】
１    透過型表示装置
１０    面光源装置
１１    ＬＣＤパネル
１２    光源部
１３    導光板
１４    第１プリズムシート
１５    遮光部
１５１    接合層
１５２    基材層
１５３    遮光機能層
１５３ａ    第１遮光機能層
１５３ｂ    第２遮光機能層
１５３ｃ    第３遮光機能層
１６    第２プリズムシート
１７    拡散シート
１８    ベゼル
１９    筐体部
【図１】
2012208307.tif 000005
【図２】
2012208307.tif 000006
【図３】
2012208307.tif 000007
【図４】
2012208307.tif 000008
【図５】
2012208307.tif 000009